(57)【要約】【課題】  一般の家庭用電源或いは車両用電源を利用した無料型の充電器として構成でき、しかも小型で持ち運びが可能な充電器として構成できるようにする。【解決手段】  充電に必要な電力を多数の携帯電話機Ｐに同時に分配供給できる複数分配型携帯用充電器であって、コンセント型の電源部２に接続でき、多機種の携帯電話機Ｐの充電コネクターを利用可能とすべく、複数のコネクトケーブル４を装着可能とした分配器１を備える。分配器１には、電源部２を利用して充電可能とした充電池６を内蔵する。【選択図】      図１
2006034083.tif 000002
【特許請求の範囲】
【請求項１】
充電に必要な電力を多数の携帯電話機に同時に分配供給させる複数分配型携帯用充電器であって、電源部に接続可能とし、且つ多機種の携帯電話機の充電コネクターを利用可能とすべく複数のコネクトケーブルを装着可能として成る分配器を備えたことを特徴とする複数分配型携帯用充電器。
【請求項２】
電源部は、コンセント型若しくはシガーライター型としたことを特徴とする請求項１記載の複数分配型携帯用充電器。
【請求項３】
分配器は、多機種の携帯電話機を直接装着可能としたことを特徴とする請求項１又は２記載の複数分配型携帯用充電器。
【請求項４】
分配器には、電源部を利用して充電可能とした充電池を内蔵したことを特徴とする請求項１乃至３のいずれかに記載の複数分配型携帯用充電器。
【発明の詳細な説明】
【技術分野】
【０００１】
本発明は、例えば住宅内や車内等の空間で多機種の携帯電話機を同時に充電可能とした複数分配型携帯用充電器に関する。
【背景技術】
【０００２】
近年、多機種の携帯電話機が有る中で住宅及び車等の空間内で該携帯電話機を充電する際には、該携帯電話機の機種に応じた複数の充電器が必要となる。また、同一空間内に複数の者が携帯電話機を所有している場合、必ずしも各個人に対応した多数の電源コンセントがあるとは限らない。この場合には、その空間内にいる複数の者は携帯電話機の充電を順番に行なわなければならない。しかも、携帯用充電器はコネクターケーブルが一つしかないため、一箇所の電源部に対して一台の充電しかできず、各個人が順番に充電し合う必要があった。
【０００３】
このため、従来では、特許文献１に開示されているように、各種形態の携帯電話機に応じた形状を有する複数の収納部を設け、この収納部内に、充電用電源に通じる電力供給用の充電用端子を配設すると共に、該充電用電源の使用料金徴収を行なう例えば使用料金計算装置を備えることで多種の形態の料金徴収を行なうようにした携帯電話機用充電器がある。
【０００４】
また、特許文献２に開示されているように、複数の携帯電話機を収納する収納部が設けられ、個々の収納部付近に画面装置及び充電提供キー投入部を備えた充電サービス装置がある。
【０００５】
更に、特許文献３に開示されているように、複数種類の携帯電話機及び複数種類の二次電池に対応した複数の充電ブロックと、硬貨投入口と、選択ボタンと、キーとを供え、硬貨投入口に適当金額を投入し、選択ボタンから所望の充電時間を指示し、キーによって充電ブロックの扉を施錠すると、受け入れられた金額を計算し、その計算された金額と指示された充電時間とに従って充電ブロックに備えられた急速充電器を制御し、その充電ブロックの充電ホルダに取り付けられた携帯電話機の二次電池に充電する充電電力自動販売機がある。
【特許文献１】特開２００３−１４１６３０号公報
【特許文献２】特開２００２−３１５２０６号公報
【特許文献３】特開平１０−１６２２４１号公報
【発明の開示】
【発明が解決しようとする課題】
【０００６】
しかしながら、従来における充電器は、電流の分配を目的としているものではなく、徴収システムと充電システムが組み合わされて１セットとなり、徴収数を多数必要とする目的から充電器を複数設置した構成によるものである。従って、従来の充電器は、一般の家庭用電源を利用した無料型とは異なり、しかも集中設置型である大型の装置であるため、持ち運びが不可能であった。
【０００７】
そこで、本発明は叙上のような従来存した諸事情に鑑み創案されたもので、一般の家庭用電源を利用した無料型の充電器として構成することができ、しかも小型で持ち運びが可能な充電器として構成することができ、該構成に基づいて充電に必要な電力を多数の携帯電話機に同時に分配供給させることを可能とした複数分配型携帯用充電器を提供することを目的とするものである。
【課題を解決するための手段】
【０００８】
上記した課題を解決するために、本発明にあっては、充電に必要な電力を多数の携帯電話機に同時に分配供給させる複数分配型携帯用充電器であって、電源部に接続可能とし、且つ多機種の携帯電話機の充電コネクターを利用可能とすべく複数のコネクトケーブルを装着可能として成る分配器を備えたものである。
そして、電源部は、コンセント型若しくはシガーライター型であるものとすることができる。
また、分配器は、多機種の携帯電話機を直接装着可能としたものとすることができる。
更に、分配器には、電源部を利用して充電可能とした充電池を内蔵したものとすることができる。
【０００９】
以上のように構成された本発明に係る複数分配型携帯用充電器にあって、分配器は、これに複数のコネクトケーブルによる回線を装着することで、同時に多数の携帯電話機の充電を可能にする。しかも、多機種の携帯電話機に適用したコネクターを同時に利用することができ、これによってコネクター自体の交換を不要とさせる。更に、シガーライター型の電源部は、シガーライター用のジャックが利用可能となり、車両中でも対応可能にさせる。
【発明の効果】
【００１０】
本発明によれば、一般の家庭用電源或いは車両用電源を利用した無料型の充電器として構成することができ、しかも小型で持ち運びが可能な充電器として構成することができ、該構成に基づいて充電に必要な電力を多数の携帯電話機に同時に分配供給させることを可能とする。
【発明を実施するための最良の形態】
【００１１】
以下、本発明を実施する最良の形態を図面を参照して説明すると、図１に示される符号１は、充電に必要な電力を多数の携帯電話機Ｐに同時に分配供給させるための複数分配型携帯用充電器を構成する分配器であり、該分配器１自体は、図１に示すように、携帯が可能となるように小型でコンパクトな集中結線型に形成されている。
【００１２】
この分配器１は、図１に示すように、一般の家庭用電源のコンセント型の電源部２に接続可能とした差し込みプラグ３Ａを先端に有するコード３Ｂを一端側に備え、また多機種の携帯電話機Ｐのコネクトケーブル４をそれぞれ装着可能とした各種の形態を備えた複数の充電用接続端子５ａ，５ｂ，５ｃ，…，５ｎを備えている。
【００１３】
これによって、電源部２からの電力が分配器１によって分配されて複数の充電用接続端子５ａ，５ｂ，５ｃ，…，５ｎそれぞれから電力が供給でき、多機種の携帯電話機Ｐの充電コネクターが同時に利用可能となるようにしている。
【００１４】
また、分配器１には、電源部２を利用して充電可能とした補助電源用の充電池６を内蔵し、この充電池６を電源部２からの電力供給によって予め充電しておくことで、電源部２の接続を外したままでも分配器１のみで携帯電話機Ｐを充電できるようにしている。例えば、充電使用中に停電となったとしても分配器１自体が充電用の補助電源として利用できるものとしている。
【００１５】
尚、分配器１自体は、車両内でのシガーライター型の電源部２に接続可能としても良い。また、分配器１は、携帯電話機Ｐのコネクトケーブル４を使用せずに、多機種の携帯電話機Ｐを直接装着して自体に付設されている不図示の端子部を充電用接続端子５ａ，５ｂ，５ｃ，…，５ｎに接続できるような機器収納接続型による構造としても良い。
【００１６】
次に、以上のように構成された最良の形態についての使用の一例を説明するに、図１に示すように、先ず、分配器１の差し込みプラグ３Ａをコンセント型の電源部２に接続しておく。そして、複数の充電用接続端子５ａ，５ｂ，５ｃ，…，５ｎのそれぞれに、多機種の携帯電話機Ｐのコネクトケーブル４を接続しておくことで、同時に多数の携帯電話機Ｐが充電されるのである。また、充電池６を電源部２からの電力供給によって予め充電しておくことで、コンセント型の電源部２から差し込みプラグ３Ａを外したままでも分配器１のみで複数の携帯電話機Ｐが充電できる。
【図面の簡単な説明】
【００１７】
【図１】本発明を実施するための最良の形態における使用状態の概略を示す構成図である。
【符号の説明】
【００１８】
Ｐ                        携帯電話機
１                        分配器
２                        電源部
３Ａ                      差し込みプラグ
３Ｂ                      コード
４                        コネクトケーブル
５ａ，５ｂ，５ｃ，…５ｎ  充電用接続端子
６                        充電池
【図１】
2006034083.tif 000003